(57)【要約】【課題】デッドスペースの削減を図った蛍光表示管を提供する。【解決手段】蛍光表示管１Ａは、陰極３を分割駆動するための接続構成として、待機点灯時に点灯を行う表示領域Ｅ２に対応して位置する陰極３の一端を保持するサポート部１２が取り付けられる固定部材４Ａ１のサポート部取付板１１と、待機点灯時に非点灯の表示領域Ｅ１，Ｅ３に対応して位置する陰極３の一端を保持するサポート部１５，１７が取り付けられる固定部材４Ａ２，４Ａ３のサポート部取付板１４とを、互いに上方、下方（蛍光表示管１Ａの高さ（厚さ）方向）に絶縁された別体の２層構造として立体的に配置する。また、固定部材４Ａ１，４Ａ２，４Ａ３のサポート部１２，１５，１７は、陽極基板２の長手方向Ｘ（陰極３の張設方向）において、３つの表示領域Ｅ１，Ｅ２，Ｅ３それぞれに対応して位置する陰極３の一端を同一高さに固定保持する。【選択図】図１
2020161365.tif 000002
【特許請求の範囲】
【請求項１】
内部が高真空状態に保持された外囲器と、
複数本のフィラメント状の陰極と、
前記外囲器内で陽極の上方に互いに平行に前記陰極を張設して両端を固定する陰極張設部材とを備え、
前記陰極張設部材は、前記陰極の張設方向と平行な方向において選択的に点灯可能な前記陽極の複数の表示領域の一部の点灯を行うときの表示領域に対応して位置する前記陰極の一端を保持するサポート部が取り付けられるサポート部取付板と、非点灯の表示領域に対応して位置する前記陰極の一端を保持するサポート部が取り付けられるサポート部取付板とが、互いに上方、下方に絶縁された別体の２層以上で構成されることを特徴とする蛍光表示管。
【請求項２】
前記サポート部は、前記陰極の張設方向の同一位置で前記陰極の先端を保持することを特徴とする請求項１に記載の蛍光表示管。
【発明の詳細な説明】
【技術分野】
【０００１】
本発明は、高真空状態に保持した外囲器の内部でフィラメント状の陰極が放出した電子を陽極の蛍光体に射突させて発光表示を行う蛍光表示管に関するものである。
【背景技術】
【０００２】
蛍光表示管は、真空容器の中において、フィラメント状の陰極から放出される熱電子を陽極の蛍光体に衝突させて励起発光させることにより所望の発光パターンを表示する自発光素子として従来から知られている。
【０００３】
ところで、一般的な蛍光表示管は、例えば時計表示などのような表示領域の一部の表示を行う場合であっても、全体の表示領域に対応する全ての陰極に通電しておき、必要な表示領域の陽極に対し、表示を制御する信号を与えて必要な表示を得ていた。このため、点灯する必要のない表示領域の陽極に対応する陰極にも常時駆動電圧が与えられ、無駄に電力を消費するという問題があった。
【０００４】
この問題を解消するため、例えば下記特許文献１に開示されるように、フィラメント分割駆動による蛍光表示管が知られている。フィラメント分割駆動による蛍光表示管は、フィラメント状の陰極を保持するための部材を平面的に分割して配置する構造を採用し、点灯する表示領域の陽極に対応して位置する陰極のみを駆動するものである。以下、その構成の一例について図１０〜図１２を参照しながら説明する。
【０００５】
図１０は従来のフィラメント分割駆動による蛍光表示管の平面図、図１１は同蛍光表示管の固定部材の斜視図、図１２は同蛍光表示管の固定部材の組み立て手順を示す図である。
【０００６】
図１０のフィラメント分割駆動による蛍光表示管５１では、平面視したときにドットマトリックス状の陽極による矩形状の表示領域Ｅを形成し、表示領域Ｅが陽極基板５２の長手方向Ｘと平行な方向（図１０の上下の方向）において選択的に点灯可能な上中下３つの表示領域Ｅ１，Ｅ２，Ｅ３に分けられ、待機点灯時に中央の表示領域Ｅ２を点灯を行う表示領域として例えば時計表示を行う場合に上下２つの表示領域Ｅ１，Ｅ３を点灯する必要のない非点灯の表示領域としている。
【０００７】
蛍光表示管５１を断面で側面視したときに、陽極基板５２上の表示領域Ｅの範囲内に配置される不図示の陽極電極の上方には、図１０に示すように、複数本のフィラメント状の陰極５３が互いに平行に張設される。各陰極５３は、陽極基板５３の長手方向Ｘの両端部において陰極張設部材５４により長手方向Ｘに沿って張設される。
【０００８】
陰極張設部材５４は、図１０に示すように、時計表示を行う中央の表示領域Ｅ２に対応する陰極５３の一端を固定保持する固定部材５４Ａと、上の表示領域Ｅ１に対応する陰極５３の一端を固定保持する固定部材５４Ｂと、下の表示領域Ｅ３に対応する陰極５３の一端を固定保持する固定部材５４Ｃと、陰極５３の他端を弾性的に固定保持して陰極５３に張力を与える共通の張設部材５４Ｄとから構成される。
【０００９】
固定部材５４Ａは、図１１や図１２に示すように、別体に構成されたサポート部取付板６１とサポート部６２からなる。サポート部取付板６１は、図１２に示すように、陽極基板５２の長手方向Ｘと直交する方向を長手方向とする両端の一方にリード端子６１ａを有する細長い板材としてフレーム板６３に一体形成される。サポート部６２は、サポート部取付板６１に位置決め固定される基部６２ａを有し、陽極基板５２の長手方向Ｘと平行な方向に対して後述するサポート部取付板６４のサポート部６５およびサポート部６６と並設されるように基部６２ａから引き出されてサポート部取付板６４の上方で階段状に立ち上げられている。
【００１０】
固定部材５４Ｂは、図１１や図１２に示すように、別体に構成されたサポート部取付板６４とサポート部６５からなる。また、固定部材５４Ｃは、図１２に示すように、別体に構成されたサポート部取付板６４とサポート部６６からなり、サポート部取付板６４を固定部材５４Ｂおよび固定部材５４Ｃの共通部品として使用する。
【００１１】
サポート部取付板６４は、図１２に示すように、陽極基板５２の長手方向Ｘと直交する方向を長手方向とする両端の一方にリード端子６４ａを有する細長い板材として陽極基板５２の長手方向Ｘにサポート部取付板６１と並設されるようにフレーム板６３に一体形成される。サポート部６５およびサポート部６６は、それぞれがサポート部取付板６４に位置決め固定される基部６５ａ，６６ａから略Ｌ字状に立ち上げられている。サポート部取付板６１およびサポート部取付板６４が一体形成されたフレーム板６３は、陽極電極などを制御するリード端子５５ａを有するフレーム板５５に位置決め固定される。
【００１２】
上述した固定部材５４Ａ，５４Ｂ，５４Ｃを組み立てる場合には、図１２に示すように、サポート部取付板６１とサポート部取付板６４とが横並びに設けられたフレーム板６３のサポート部取付板６１上にサポート部６２を位置決めして溶接などの手段により固定する。同様に、フレーム板６３のサポート部取付板６４上にサポート部６５およびサポート部６６を位置決めして溶接などの手段により固定する。
【００１３】
そして、図１２に示すように、時計表示などを行う中央の表示領域Ｅ２に対応する陰極５３の一端を固定部材５４Ａのサポート部取付板６１上のサポート部６２に固定保持し、陰極５３の他端を共通の張設部材５４Ｄに固定保持する。
【００１４】
また、図１２に示すように、上の表示領域Ｅ１に対応するフィラメント状の陰極５３の一端を固定部材５４Ｂのサポート部取付板６４上のサポート部６５に固定保持し、陰極５３の他端を共通の張設部材５４Ｄに固定保持する。
【００１５】
さらに、図１２に示すように、下の表示領域Ｅ３に対応するフィラメント状の陰極５３の一端を固定部材５４Ｃの陰極取付部材６４上のサポート部６６に固定保持し、陰極５３の他端を共通の張設部材５４Ｄに固定保持する。
【００１６】
このように、従来のフィラメント分割駆動による蛍光表示管では、上下２つの表示領域Ｅ１，Ｅ３に対応する陰極５３の一端が固定保持される２つの固定部材５４Ｂ，５４Ｃとして、サポート部取付板６４を共通部品として使用し、サポート部取付板６１とサポート部取付板６４とを陽極基板５２の長手方向Ｘに並設して表示領域Ｅの各表示領域Ｅ１，Ｅ２，Ｅ３に対応する陰極５３を固定保持していた。
【００１７】
完成時において、蛍光表示管５１は、フレーム板６３の上下両端部分が図１０の切断線Ｌ−Ｌの位置で切除され、フレーム板６３に一体形成されたサポート部取付板６１とサポート部取付板６４が別体の構成となる。そして、図１３の陰極駆動回路７１Ａに対し、共通の張設部材５４Ｄ側のリード端子を端子Ｆ１に接続し、サポート部取付板６１の２本のリード端子６１ａを短絡して端子Ｆ３に接続し、サポート部取付板６４の２本のリード端子６４ａを短絡して端子Ｆ２に接続する。これにより、陰極駆動回路７１ＡのスイッチＳＷをオフし、サポート部取付板６１のリード端子６１ａのみに駆動電圧を印加すれば、中央の表示領域Ｅ２に対応する陰極５３のみを駆動することが可能となる。
【先行技術文献】
【特許文献】
【００１８】
【特許文献１】特開平９−１４７７６６号公報
【発明の概要】
【発明が解決しようとする課題】
【００１９】
しかしながら、上述した従来のフィラメント分割駆動による蛍光表示管５１では、フィラメント状の陰極５３を保持するための陰極張設部材５４（固定部材５４Ａ，５４Ｂ，５４Ｃ）を平面的に分割して並べて配置する構成なので、表示領域Ｅの長手方向Ｘに陰極張設部材５４を配置するためのスペースが余分に必要となり、全体の表示領域Ｅの長手方向Ｘの長さが縮小してしまい、デッドスペースが大きくなるという問題があった。
【００２０】
本発明は上記問題点に鑑みてなされたものであって、デッドスペースの削減を図ることができる蛍光表示管を提供することを目的としている。
【課題を解決するための手段】
【００２１】
上記した目的を達成するため、本発明に係る蛍光表示管は、内部が高真空状態に保持された外囲器と、
複数本のフィラメント状の陰極と、
前記外囲器内で陽極の上方に互いに平行に前記陰極を張設して両端を固定する陰極張設部材とを備え、
前記陰極張設部材は、前記陰極の張設方向と平行な方向において選択的に点灯可能な前記陽極の複数の表示領域の一部の点灯を行うときの表示領域に対応して位置する前記陰極の一端を保持するサポート部が取り付けられるサポート部取付板と、非点灯の表示領域に対応して位置する前記陰極の一端を保持するサポート部が取り付けられるサポート部取付板とが、互いに上方、下方に絶縁された別体の２層以上で構成されることを特徴とする。
【００２２】
本発明に係る蛍光表示管は、前記サポート部が、前記陰極の張設方向の同一位置で前記陰極の先端を保持してもよい。
【発明の効果】
【００２３】
本発明によれば、表示領域の一部の点灯を行うときの表示領域に対応する陰極のみに駆動電圧を印加して分割駆動するにあたって、従来よりも陰極張設部材を配置するためのスペースを小さくでき、陽極基板の長手方向（陰極の張設方向）のデッドスペースの削減を図ることができる。
【図面の簡単な説明】
【００２４】
【図１】本発明に係る蛍光表示管の第１実施の形態の概略構成を示す平面図である。
【図２】図１の蛍光表示管の概略構成を示す斜視図である。
【図３】図１の蛍光表示管の固定部材の部分斜視図である。
【図４】図１の蛍光表示管の固定部材の組み立て手順の概略を示す図である。
【図５】本発明に係る蛍光表示管の第２実施の形態の概略構成を示す斜視図である。
【図６】図５の蛍光表示管の張設部材の部分斜視図である。
【図７】図５の蛍光表示管の張設部材の組み立て手順の概略を示す図である。
【図８】本発明に係る蛍光表示管の第３実施の形態の概略構成を示す斜視図である。
【図９】図８の蛍光表示管の固定部材の組み立て手順の概略を示す図である。
【図１０】従来のフィラメント分割駆動による蛍光表示管の平面図である。
【図１１】図１０の蛍光表示管の固定部材の斜視図である。
【図１２】図１０の蛍光表示管の固定部材の組み立て手順の概略を示す図である。
【図１３】陰極駆動回路の一例を示す図である。
【図１４】陰極駆動回路の他の例を示す図である。
【発明を実施するための形態】
【００２５】
以下、本発明を実施するための形態について、添付した図面を参照しながら詳細に説明する。
【００２６】
本実施の形態の蛍光表示管は、例えばガラス等の絶縁材料からなる基板を気密に組み合わせて構成した箱形の外囲器を有し、外囲器の内部が製造工程において排気され、高真空状態に密封される。
【００２７】
［第１実施の形態］
図１および図２に示すように、第１実施の形態の蛍光表示管１Ａは、内部が高真空状態に保持された不図示の外囲器の一部を構成する矩形状の陽極基板２を有する。陽極基板２上には、特に図示はしないが、陽極導体と陽極導体に接続された配線導体とが形成され、さらに陽極導体の上には蛍光体層が被着され、例えば矩形状のドットマトリックス状の発光表示部としての陽極が構成される。なお、図示はしないが、陽極の上には必要に応じて制御電極が設けられる。
【００２８】
図１に示すように、第１実施の形態の蛍光表示管１Ａでは、平面視したときにドットマトリックス状の陽極による矩形状の表示領域Ｅを形成し、表示領域Ｅが陽極基板２の長手方向Ｘと平行な方向（図１の上下の方向）において選択的に点灯可能な上中下３つの表示領域Ｅ１，Ｅ２，Ｅ３に分けられ、待機点灯時に中央の表示領域Ｅ２を点灯を行う表示領域として例えば時計表示を行う場合に上下２つの表示領域Ｅ１，Ｅ３を点灯する必要のない非点灯の表示領域としている。
【００２９】
図１や図２に示すように、陽極基板２上の表示領域Ｅの上方には、複数本のフィラメント状の陰極３が互いに平行に張設される。各陰極３は、陰極張設部材４Ａにより、陽極基板２の長手方向Ｘに沿って張設され、陽極基板２の長手方向Ｘの両端部が固定保持される。
【００３０】
陰極張設部材４Ａは、ＳＵＳ材によって形成され、図１や図２に示すように、待機点灯時に例えば時計表示を行う中央の表示領域Ｅ２に対応する陰極３の一端を固定保持する固定部材４Ａ１と、上の表示領域Ｅ１に対応する陰極３の一端を固定保持する固定部材４Ａ２と、下の表示領域Ｅ３に対応する陰極３の一端を固定保持する固定部材４Ａ３と、陰極３の他端を弾性的に固定保持して陰極３に張力を与える共通の張設部材４Ａ４とから構成される。
【００３１】
第１実施の形態の蛍光表示管１Ａでは、陰極３を分割駆動するための接続構成を固定部材４Ａ１，４Ａ２，４Ａ３に採用している。以下、その構成について説明する。
【００３２】
固定部材４Ａ１は、図３や図４に示すように、別体に構成されたサポート部取付板１１とサポート部１２からなる。サポート部取付板１１は、図４に示すように、陽極基板２の長手方向Ｘ（陰極３の張設方向）と直交する方向を長手方向とする両端の一方に２本のリード端子１１ａが形成された細長い板材としてフレーム板１１ｃに一体形成される。サポート部１２は、サポート部取付板１１に位置決め固定される基部１２ａを有し、陽極基板２の長手方向Ｘと直交する方向に対して後述する固定部材４Ａ２のサポート部１５および固定部材４Ａ３のサポート部１７と同一高さで並設されるように基部１２ａから略Ｌ字状に立ち上げられた高さ調整部１２ｂが形成される。また、高さ調整部１２ｂの先端には、陰極３の先端を固定するための陰極固定部１２ｃが設けられる。
【００３３】
固定部材４Ａ２は、図３や図４に示すように、別体に構成されたサポート部取付板１４とサポート部１５からなる。サポート部取付板１４は、図４に示すように、陽極基板２の長手方向Ｘと直交する方向を長手方向とする両端の一方に２本のリード端子１４ａが形成され、サポート部取付板１１よりも幅広の細長い板材としてフレーム板１４ｃに一体形成される。なお、サポート部取付板１１とサポート部取付板１４は、極力狭い幅で固定部材を２層にすることができる板材で形成するのが好ましい。サポート部１５は、サポート部取付板１４に位置決め固定される基部１５ａを有し、陽極基板２の長手方向Ｘと直交する方向に対して固定部材４Ａ１のサポート部１２と同一高さで並設されるように基部１５ａから引き出されて略Ｌ字状に立ち上げられた高さ調整部１５ｂが形成される。また、高さ調整部１５ｂの先端には、陰極３の先端を固定するための陰極固定部１５ｃが設けられる。
【００３４】
固定部材４Ａ３は、図４に示すように、別体に構成されたサポート部取付板１４とサポート部１７からなり、サポート部取付板１４を固定部材４Ａ２および固定部材４Ａ３の共通部品として使用する。サポート部１７は、サポート部取付板１４に位置決め固定される基部１７ａを有し、陽極基板２の長手方向Ｘと直交する方向に対して固定部材４Ａ１のサポート部１２と同一高さで並設されるように基部１７ａから引き出されて略Ｌ字状に立ち上げられた高さ調整部１７ｂが形成される。また、高さ調整部１７ｂの先端には、陰極３の先端を固定するための陰極固定部１７ｃが設けられる。
【００３５】
なお、固定部材４Ａ１のサポート部１２をサポート部取付板１１に一体形成してもよい。同様に、固定部材４Ａ２のサポート部１５および固定部材４Ａ３のサポート部１７をサポート部取付板１４に一体形成してもよい。
【００３６】
上述した固定部材４Ａ１，４Ａ２，４Ａ３を組み立てる場合には、図４に示すように、サポート部取付板１１上にサポート部１２を位置決めして溶接などの手段により固定する。また、サポート部取付板１４上にサポート部１５およびサポート部１７を位置決めして溶接などの手段により固定する。
【００３７】
そして、蛍光表示管１Ａの陽極や制御電極などのリード端子１８ａを有するフレーム板１８に対し、サポート部取付板１１を位置決めした後、サポート部取付板１１の上にサポート部取付板１４を重ね合わせて位置決めし、陽極基板２の長手方向Ｘと直交する方向にサポート部１２，１５，１７が表示領域Ｅ１，Ｅ２，Ｅ３に対応して並設されるように位置決め配置する。すなわち、図３に示すように、サポート部取付板１１とサポート部取付板１４を、互いに絶縁された状態で上方、下方（蛍光表示管１Ａの高さ（厚さ）方向）に所定間隔Ｈをおいて図１のフレーム板１８に位置決め配置する。
【００３８】
そして、図１および図２の表示領域Ｅ２に対応する陰極３の一端を固定部材４Ａ１に固定保持する。すなわち、固定部材４Ａ１のサポート部取付板１１上のサポート部１２の陰極固定部１２ｃにより陰極３の一端を固定し、陰極３の他端を共通の張設部材４Ａ４に固定保持する。
【００３９】
また、図１および図２の表示領域Ｅ１に対応するフィラメント状の陰極３の一端を固定部材４Ａ２に固定する。すなわち、固定部材４Ａ２のサポート部取付板１４上のサポート部１５の陰極固定部１５ｃにより陰極３の一端を固定し、陰極３の他端を共通の張設部材４Ａ４に固定保持する。
【００４０】
さらに、図１および図２の表示領域Ｅ３に対応するフィラメント状の陰極３の一端を固定部材４Ａ３に固定する。すなわち、固定部材４Ａ３のサポート部取付板１４上のサポート部１７の陰極固定部１７ｃにより陰極３の一端を固定し、陰極３の他端を共通の張設部材４Ａ４に固定保持する。
【００４１】
また、固定部材４Ａ１，４Ａ２，４Ａ３の各サポート部１２，１５，１７は、陽極基板２の長手方向Ｘ（陰極３の張設方向）に関する同一位置で陰極３の先端を保持する。これにより、陰極３の長さは全て一定となり、陰極３の長さの違いにより生じる端冷効果の差異や陰極駆動電圧の差異をなくすことができ、陰極３から安定した電子放出を得ることができる。
【００４２】
完成時において、蛍光表示管１Ａは、フレーム板１１ｃ，１４ｃ，１８の上下両端部分が図１や図２の切断線Ｌ−Ｌの位置で切除される。これにより、サポート部取付板１１とサポート部取付板１４は互いに絶縁され、別体として構成される。また、リード端子１１ａとリード端子１４ａは別体として互いに絶縁された状態で外囲器の外側へ引き出される。
【００４３】
そして、図１３の陰極駆動回路７１Ａに対し、共通の張設部材４Ａ４を端子Ｆ１に接続し、サポート部取付板１１の一端側の２本のリード端子１１ａを短絡して端子Ｆ３に接続し、サポート部取付板１４の一端側の２本のリード端子１４ａを短絡して端子Ｆ２に接続する。これにより、陰極駆動回路７１ＡのスイッチＳＷをオフし、サポート部取付板１１のリード端子１１ａのみに駆動電圧を印加すれば、中央の表示領域Ｅ２に対応する陰極３のみを駆動することが可能となる。
【００４４】
このように、第１実施の形態の蛍光表示管１Ａでは、陰極３を分割駆動するための接続構成として、待機点灯時に点灯を行う表示領域（Ｅ２）に対応して位置する陰極３の一端を保持するサポート部１２が取り付けられる固定部材４Ａ１のサポート部取付板１１と、待機点灯時に非点灯の表示領域（Ｅ１，Ｅ３）に対応して位置する陰極３の一端を保持するサポート部１５，１７が取り付けられる固定部材４Ａ２，４Ａ３のサポート部取付板１４とを、互いに上方、下方（蛍光表示管１Ａの高さ（厚さ）方向）に絶縁された別体の２層構造として立体的に配置している。また、サポート部取付板１１のサポート部１２とサポート部取付板１４のサポート部１５，１７は、陽極基板２の長手方向Ｘ（陰極３の張設方向）において、３つの表示領域Ｅ１，Ｅ２，Ｅ３それぞれに対応して位置する陰極３の一端を同一高さに固定保持する。
【００４５】
ところで、上述した第１実施の形態では、陰極３を分割駆動するための接続構成を固定部材４Ａ１，４Ａ２，４Ａ３に採用したが、張設部材に採用することもできる。以下、陰極３を分割駆動するための接続構成を張設部材に採用した第２実施の形態の蛍光表示管の構成について図５〜図７を参照しながら説明する。
【００４６】
［第２実施の形態］
図５は陰極３を分割するための接続構成を張設部材に採用した第２実施の形態の蛍光表示管の斜視図、図６は同蛍光表示管の張設部材の部分斜視図、図７は同蛍光表示管の張設部材の組み立て手順の概略を示す図である。なお、第１実施の形態と同一の構成要素には同一番号を付して説明する。
【００４７】
図５に示すように、第２実施の形態の蛍光表示管１Ｂは、複数本のフィラメント状の陰極３の陽極基板２の長手方向Ｘの両端部がそれぞれ張設部材からなる陰極張設部材４Ｂにより所定の張力を付与して保持される。
【００４８】
陰極張設部材４Ｂは、ＳＵＳ材によって形成され、図５に示すように、待機点灯時に例えば時計表示を行う中央の表示領域Ｅ２に対応する陰極３の一端を弾性的に保持して陰極３に張力を与える張設部材４Ｂ１と、上の表示領域Ｅ１に対応する陰極３の一端を弾性的に保持して陰極３に張力を与える張設部材４Ｂ２と、下の表示領域Ｅ３に対応する陰極３の一端を弾性的に保持して陰極３に張力を与える張設部材４Ｂ３と、陰極３の他端を弾性的に保持して陰極３に張力を与える共通の張設部材４Ｂ４とから構成される。
【００４９】
第２実施の形態の蛍光表示管１Ｂでは、陰極３を分割駆動するための接続構成を片側の張設部材４Ｂ１，４Ｂ２，４Ｂ３に採用している。以下、その構成について説明する。
【００５０】
張設部材４Ｂ１は、図６や図７に示すように、別体に構成されたサポート部取付板２１とサポート部２２からなる。サポート部取付板２１は、図７に示すように、陽極基板２の長手方向Ｘ（陰極３の張設方向）と直交する方向を長手方向とする両端の一方に２本のリード端子２１ａが形成された細長い板材としてフレーム板２１ｃに一体形成される。サポート部２２は、サポート部取付板２１に位置決め固定される基部２２ａを有する。また、サポート部２２は、陰極３の一端を弾性的に保持して陰極３に張力を与える張力付与部２２ｂが基部２２ａに一体形成される。この張力付与部２２ｂは、陽極基板２の長手方向Ｘと直交する方向に対して後述する張設部材４Ｂ２のサポート部２５および張設部材４Ｂ３のサポート部２７と並設される。さらに、張力付与部２２ｂの先端には、陰極３の先端を固定するための陰極固定部２２ｃが設けられる。
【００５１】
張設部材４Ｂ２は、図６や図７に示すように、別体に構成されたサポート部取付板２４とサポート部２５からなる。サポート部取付板２４は、図７に示すように、陽極基板２の長手方向Ｘと直交する方向を長手方向とする両端の一方に２本のリード端子２４ａが形成され、サポート部取付板２１より幅広の細長い板材としてフレーム板２４ｃに一体形成される。サポート部２５は、サポート部取付板２４に位置決め固定される基部２５ａを有する。また、サポート部２５は、陰極３の一端を弾性的に保持して陰極３に張力を与える張力付与部２５ｂが基部２５ａに一体形成される。この張力付与部２５ｂは、陽極基板２の長手方向Ｘと直交する方向に対して張設部材４Ｂ１のサポート部２２と並設される。さらに、張力付与部２５ｂの先端には、陰極３の先端を固定するための陰極固定部２５ｃが設けられる。なお、サポート部取付板２１とサポート部取付板２４は、極力狭い幅で張設部材を２層にすることができる板材で形成するのが好ましい。
【００５２】
張設部材４Ｂ３は、図７に示すように、別体に構成されたサポート部取付板２４とサポート部２７からなり、サポート部取付板２４を張設部材４Ｂ２および張設部材４Ｂ３の共通部品として使用する。サポート部２７は、サポート部取付板２４に位置決め固定される基部２７ａを有し、サポート部２５と共通部品で構成される。また、サポート部２７は、陰極３の一端を弾性的に保持して陰極３に張力を与える張力付与部２７ｂが基部２７ａに一体形成される。この張力付与部２７ｂは、陽極基板２の長手方向Ｘと直交する方向に対して張設部材４Ｂ１のサポート部２２と並設される。さらに、張力付与部２７ｂの先端には、陰極３の先端を固定するための陰極固定部２７ｃが設けられる。
【００５３】
上述した張設部材４Ｂ１，４Ｂ２，４Ｂ３を組み立てる場合には、図７に示すように、サポート部取付板２１上にサポート部２２を位置決めして溶接などの手段により固定する。また、サポート部取付板２４上にサポート部２５およびサポート部２７を位置決めして溶接などの手段により固定する。
【００５４】
そして、蛍光表示管１Ｂの陽極や制御電極などのリード端子１８ａを有するフレーム板１８に対し、サポート部取付板２１を位置決めした後、サポート部取付板２１の上にサポート部取付板２４を重ね合わせて位置決めし、陽極基板２の長手方向Ｘと直交する方向にサポート部２２，２５，２７が表示領域Ｅ１，Ｅ２，Ｅ３に対応して並設されるように位置決め配置する。すなわち、図６に示すように、サポート部取付板２１とサポート部取付板２４を、互いに絶縁された状態で上方、下方（蛍光表示管１Ｂの高さ（厚さ）方向）に所定間隔Ｈをおいて図５のフレーム板１８に位置決め配置する。
【００５５】
そして、図５の表示領域Ｅ２に対応する陰極３の一端を張設部材４Ｂ１に固定保持する。すなわち、張設部材４Ｂ１のサポート部取付板２１上のサポート部２２の陰極固定部２２ｃにより陰極３の一端を固定し、陰極３の他端を共通の張設部材４Ｂ４に固定保持する。
【００５６】
また、図５の表示領域Ｅ１に対応するフィラメント状の陰極３の一端を張設部材４Ｂ２に固定保持する。すなわち、張設部材４Ｂ２のサポート部取付板２４上のサポート部２５の陰極固定部２５ｃにより陰極３の一端を固定し、陰極３の他端を共通の張設部材４Ｂ４に固定保持する。
【００５７】
さらに、図５の表示領域Ｅ３に対応するフィラメント状の陰極３の一端を張設部材４Ｂ３に固定保持する。すなわち、張設部材４Ｂ３のサポート部取付板２４上のサポート部２７の陰極固定部２７ｃにより陰極３の一端を固定し、陰極３の他端を共通の張設部材４Ｂ４に固定保持する。
【００５８】
また、張設部材４Ｂ１，４Ｂ２，４Ｂ３の各サポート部２２，２５，２７は、陽極基板２の長手方向Ｘ（陰極３の張設方向）に関する同一位置で陰極３の先端を保持する。これにより、陰極３の長さは全て一定となり、陰極３の長さの違いにより生じる端冷効果の差異や陰極駆動電圧の差異をなくすことができ、陰極３から安定した電子放出を得ることができる。
【００５９】
完成時において、蛍光表示管１Ｂは、フレーム板１８，２１ｃ，２４ｃの上下両端部分が図５の切断線Ｌ−Ｌの位置で切除される。これにより、サポート部取付板２１とサポート部取付板２４は互いに絶縁され、別体として構成される。また、リード端子２１ａとリード端子２４ａは別体として互いに絶縁された状態で外囲器の外側へ引き出される。
【００６０】
そして、図１３の陰極駆動回路７１Ａに対し、共通の張設部材４Ｂ４を端子Ｆ１に接続し、サポート部取付板２１の一端側の２本のリード端子２１ａを短絡して端子Ｆ３に接続し、サポート部取付板２４の一端側の２本のリード端子２４ａを短絡して端子Ｆ２に接続する。これにより、陰極駆動回路７１ＡのスイッチＳＷをオフし、サポート部取付板２１のリード端子２１ａのみに駆動電圧を印加すれば、中央の表示領域Ｅ２に対応する陰極３のみを駆動することが可能となる。
【００６１】
このように、上述した蛍光表示管１Ｂでは、陰極３を分割駆動するための接続構成として、待機点灯時に点灯を行う表示領域（Ｅ２）に対応して位置する陰極３の一端を保持するサポート部２２が取り付けられる張設部材４Ｂ１のサポート部取付板２１と、待機点灯時に非点灯の表示領域（Ｅ１，Ｅ３）に対応して位置する陰極３の一端を保持するサポート部２５，２７が取り付けられる張設部材４Ｂ２，４Ｂ３のサポート部取付板２４とを、互いに上方、下方（蛍光表示管１Ｂの高さ（厚さ）方向）に絶縁された別体の２層構造として立体的に配置している。また、サポート部取付板２１のサポート部２２とサポート部取付板２４のサポート部２５，２７は、陽極基板２の長手方向Ｘ（陰極３の張設方向）において、３つの表示領域Ｅ１，Ｅ２，Ｅ３それぞれに対応して位置する陰極３の一端を同一高さに固定保持する。
【００６２】
ところで、陰極３を分割駆動するための接続構成として、第１実施の形態の陰極張設部材４Ａでは、固定部材４Ａ１のサポート部取付板１１と固定部材４Ａ２，４Ａ３のサポート部取付板１４とを互いに上方、下方に絶縁された別体の２層構成とし、第２実施の形態の陰極張設部材４Ｂでは、張設部材４Ｂ１のサポート部取付板２１と張設部材４Ｂ２，４Ｂ３のサポート部取付板２４とを互いに上方、下方に絶縁された別体の２層構成とした場合を例にとって説明したが、陰極張設部材の複数のサポート部取付板を３層構成にしてもよい。以下、陰極張設部材の複数のサポート部取付板を３層構成とした第３実施の形態の蛍光表示管の構成について図８および図９を参照しながら説明する。
【００６３】
［第３実施の形態］
図８は陰極張設部材を３層構造とした第３実施の形態の蛍光表示管の斜視図、図９は同蛍光表示管の固定部材の組み立て手順の概略を示す図である。なお、第１実施の形態の蛍光表示管１Ａと同一の構成要素には同一番号を付して説明する。
【００６４】
図８に示すように、第３実施の形態の蛍光表示管１Ｃは、３層構造の陰極張設部材４Ｃを有する。陰極張設部材４Ｃは、ＳＵＳ材によって形成され、表示領域Ｅ２に対応する陰極３の一端を固定保持する固定部材４Ｃ１と、表示領域Ｅ１に対応する陰極３の一端を固定保持する固定部材４Ｃ２と、表示領域Ｅ３に対応する陰極３の一端を固定保持する固定部材４Ｃ３と、陰極３の他端を弾性的に固定保持して陰極３に張力を与える共通の張設部材４Ｃ４とから構成される。
【００６５】
第３実施の形態の蛍光表示管１Ｃでは、陰極３を分割駆動するための接続構成を固定部材４Ｃ１，４Ｃ２，４Ｃ３に採用している。以下、その構成について説明する。
【００６６】
固定部材４Ｃ１は、図９に示すように、別体に構成されたサポート部取付板３１とサポート部３２からなる。サポート部取付板３１は、陽極基板２の長手方向Ｘ（陰極３の張設方向）と直交する方向を長手方向とする両端の一方に１本のリード端子３１ａが形成された細長い板材としてフレーム板３１ｃに一体形成される。サポート部３２は、サポート部取付板３１に位置決め固定される基部３２ａを有し、陽極基板２の長手方向Ｘと直交する方向に対して後述する固定部材４Ｃ２のサポート部３５および固定部材４Ｃ３のサポート部３８と同一高さで並設されるように基部３２ａから略Ｌ字状に立ち上げられた高さ調整部３２ｂが形成される。また、高さ調整部３２ｂの先端には、陰極３の先端を固定するための陰極固定部３２ｃが設けられる。
【００６７】
固定部材４Ｃ２は、図９に示すように、別体に構成されたサポート部取付板３４とサポート部３５からなる。サポート部取付板３４は、陽極基板２の長手方向Ｘと直交する方向を長手方向とする両端の一方に１本のリード端子３４ａが形成され、サポート部取付板３１よりも幅狭の細長い板材としてフレーム板３４ｃに一体形成される。サポート部３５は、サポート部取付板３４に位置決め固定される基部３５ａを有し、陽極基板２の長手方向Ｘと直交する方向に対して固定部材４Ｃ１のサポート部３２および後述する固定部材４Ｃ３のサポート部３８と同一高さで並設されるように基部３５ａから引き出されて略Ｌ字状に立ち上げられた高さ調整部３５ｂが形成される。また、高さ調整部３５ｂの先端には、陰極３の先端を固定するための陰極固定部３５ｃが設けられる。
【００６８】
固定部材４Ｃ３は、図９に示すように、別体に構成されたサポート部取付板３７とサポート部３８からなる。サポート部取付板３７は、陽極基板２の長手方向Ｘと直交する方向を長手方向とする両端の一方に２本のリード端子３７ａが形成され、サポート部取付板３１とサポート部取付板３４とを合わせた幅程度の細長い板材としてフレーム板３７ｃに一体形成される。サポート部３８は、サポート部取付板３７に位置決め固定される基部３８ａを有し、陽極基板２の長手方向Ｘと直交する方向に対して固定部材４Ｃ１のサポート部３２および固定部材４Ｃ２のサポート部３５と同一高さで並設されるように基部３８ａから引き出されて略Ｌ字状に立ち上げられた高さ調整部３８ｂが形成される。また、高さ調整部３８ｂの先端には、陰極３の先端を固定するための陰極固定部３８ｃが設けられる。なお、サポート部取付板３１とサポート部取付板３４とサポート部取付板３７は、極力狭い幅で固定部材を３層にすることができる板材で形成するのが好ましい。
【００６９】
上述した固定部材４Ｃ１，４Ｃ２，４Ｃ３を組み立てる場合には、図９に示すように、サポート部取付板３１上にサポート部３２を位置決めして溶接などの手段により固定する。また、サポート部取付板３４上にサポート部３５を位置決めして溶接などの手段により固定する。さらに、サポート部取付板３７上にサポート部３８を位置決めして溶接などの手段により固定する。
【００７０】
そして、蛍光表示管１Ｃの陽極や制御電極などのリード端子１８ａを有するフレーム板１８に対し、サポート部取付板３１を位置決めした後、サポート部取付板３１の上にサポート部取付板３４を重ね合わせて位置決めし、さらにその上にサポート部取付板３７を重ねて位置決めし、陽極基板２の長手方向Ｘと直交する方向にサポート部３２，３５，３８が表示領域Ｅ１，Ｅ２，Ｅ３に対応して並設されるように位置決め配置する。すなわち、サポート部取付板３１とサポート部取付板３４とサポート部取付板３７を、互いに絶縁された状態で上方、下方（蛍光表示管１Ｃの高さ（厚さ）方向）に所定間隔をおいてフレーム板１８に位置決め配置する。
【００７１】
そして、表示領域Ｅ２に対応する陰極３の一端を固定部材４Ｃ１に固定保持する。すなわち、固定部材４Ｃ１のサポート部取付板３１上のサポート部３２の陰極固定部３２ｃにより陰極３の一端を固定し、陰極３の他端を共通の張設部材４Ｃ４に固定保持する。
【００７２】
また、表示領域Ｅ１に対応するフィラメント状の陰極３の一端を固定部材４Ｃ２に固定する。すなわち、固定部材４Ｃ２のサポート部取付板３４上のサポート部３５の陰極固定部３５ｃにより陰極３の一端を固定し、陰極３の他端を共通の張設部材４Ｃ４に固定保持する。
【００７３】
さらに、表示領域Ｅ３に対応するフィラメント状の陰極３の一端を固定部材４Ｃ３に固定する。すなわち、固定部材４Ｃ３のサポート部取付板３７上のサポート部３８の陰極固定部３８ｃにより陰極３の一端を固定し、陰極３の他端を共通の張設部材４Ｃ４に固定保持する。
【００７４】
完成時において、蛍光表示管１Ｃは、フレーム板１８，３１ｃ，３４ｃ，３７ｃの上下両端部分が図８の切断線Ｌ−Ｌの位置で切断される。これにより、サポート部取付板３１とサポート部取付板３４とサポート部取付板３７とは互いに絶縁され、別体として構成される。また、リード端子３１ａとリード端子３４ａとリード端子３７ａとは別体として互いに絶縁された状態で外囲器の外側へ引き出される。
【００７５】
そして、図１４の陰極駆動回路７１Ｂに対し、共通の張設部材４Ｃ４を端子Ｆ１に接続し、サポート部取付板３１の一端側のリード端子３１ａを端子Ｆ３に接続し、サポート部取付板３４の一端側のリード端子３４ａを端子Ｆ２に接続し、サポート部取付板３７の一端側の２本のリード端子３７ａを短絡して端子Ｆ４に接続する。これにより、陰極駆動回路７１Ｂの２つのスイッチＳＷ１，ＳＷ２をオフし、サポート部取付板３１のリード端子３１ａのみに駆動電圧を印加すれば、中央の表示領域Ｅ２に対応する陰極３のみを駆動することが可能となる。また、スイッチＳＷ１のみをオフすれば中央の表示領域Ｅ２と下の表示領域Ｅ３に対応する陰極３を駆動することができ、スイッチＳＷ２のみをオフすれば上の表示領域Ｅ１と中央の表示領域Ｅ２に対応する陰極３を駆動することができる。すなわち、２つのスイッチＳＷ１，ＳＷ２のオン／オフにより陰極３を駆動することで表示領域Ｅ１，Ｅ２，Ｅ３の選択の自由度が増す。
【００７６】
なお、上述した第３実施の形態の蛍光表示管１Ｃでは、図８および図９に示すように、陰極張設部材４Ｃ（固定部材４Ｃ１，４Ｃ２，４Ｃ３）のサポート部取付板３１，３４，３７を３層構造としたが、図５の蛍光表示管１Ｂに３層構造を採用してもよい。この場合、張設部材４Ｂ２と張設部材４Ｂ３の共通部品であるサポート部取付板２４を別部品で構成し、この別部品で構成したサポート部取付板２４とサポート部取付板２１とが互いに上方、下方に絶縁された３層構造とする。
【００７７】
このように、上述した各実施の形態によれば、陽極基板２の長手方向Ｘ（陰極３の張設方向）と平行な方向において選択的に点灯可能な陽極の複数の表示領域（Ｅ１，Ｅ２，Ｅ３）それぞれに対応して位置する陰極３の一端を固定保持する陰極張設部材４Ａ，４Ｂ，４Ｃを備え、待機点灯時に点灯を行う表示領域に対応して位置する陰極の一端を保持するサポート部が取り付けられるサポート部取付板と非点灯の表示領域に対応して位置する陰極の一端を保持するサポート部が取り付けられるサポート部取付板とが陽極基板２の長手方向Ｘ（陰極３の張設方向）の同一位置において互いに上方、下方（蛍光表示管の高さ（厚さ）方向）に接触せずに機械的かつ電気的に絶縁された別体として構成される。これにより、図１０〜図１２の従来のフィラメント分割駆動の蛍光表示管５１と比較して、陰極張設部材４Ａ，４Ｂ，４Ｃのサポート部取付板を配置するためのスペースを小さくでき、陽極基板２の長手方向Ｘ（陰極３の張設方向）のデッドスペースの削減を図り、待機点灯時に選択的に点灯する表示領域（例えば表示領域Ｅ２）に対応する陰極３のみに駆動電圧を印加して分割駆動することができる。
【００７８】
しかも、立体的に配置された陰極張設部材４Ａ，４Ｂ，４Ｃのサポート部は、陽極基板２の長手方向Ｘ（陰極３の張設方向）の同一位置で陰極３の先端を保持するので、陰極３の長さの違いにより生じる端冷効果の差異や陰極駆動電圧の差異をなくすことができ、陰極３から安定した電子放出を得ることができる。
【００７９】
ところで、上述した各実施の形態では、表示領域Ｅが陽極基板２の長手方向Ｘ（陰極３の張設方向）と平行な方向に上中下の３つの表示領域Ｅ１，Ｅ２，Ｅ３に分けられる場合の陰極３の接続構成として、表示領域Ｅ１，Ｅ２，Ｅ３に対応する陰極３の片側を保持する陰極張設部材４Ａ，４Ｂ，４Ｃのサポート部取付板を所定間隔をおいて陽極基板２の上方、下方に２層構造または３層構造で立体的に配置する場合を例にとって説明したが、これに限定されるものではない。
【００８０】
例えば表示領域が２つの場合や４つ以上の場合でも同様の構成を採用することができる。すなわち、本発明に係る接続構成では、表示領域Ｅが陽極基板２の長手方向Ｘと平行な方向において選択的に点灯可能な陽極の複数の表示領域が形成される場合、待機点灯時に点灯を行う表示領域に対応して位置する陰極の一端を保持するサポート部が取り付けられるサポート部取付板と非点灯の表示領域に対応して位置する陰極の一端を保持するサポート部が取り付けられるサポート部取付板とが互いに上方、下方に機械的かつ電気的に絶縁された複数層構造で立体的に配置して陰極張設部材を構成し、サポート部取付板に取り付けられるサポート部によって陰極３の固定位置（陽極基板２の長手方向Ｘの位置、陽極基板２からの高さ）や陰極３の分割駆動範囲を調節する。これにより、陽極基板２の長手方向Ｘのデッドスペースを削減して選択的に点灯する表示領域に対応する陰極３のみを分割駆動することができる。
【００８１】
以上、本発明に係る蛍光表示管の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００８２】
１Ａ，１Ｂ，１Ｃ  蛍光表示管
２  陽極基板
３  陰極
４Ａ，４Ｂ，４Ｃ  陰極張設部材
４Ａ１，４Ａ２，４Ａ３，４Ｃ１，４Ｃ２，４Ｃ３  固定部材
４Ａ４，４Ｂ１，４Ｂ２，４Ｂ３，４Ｂ４，４Ｃ４  張設部材
１１，１４，２１，２４，３１，３４，３７  サポート部取付板
１２，１５，１７，２２，２５，２７，３２，３５，３８  サポート部
１１ｃ，１４ｃ，１８，２１ｃ，２４ｃ，３１ｃ，３４ｃ，３７ｃ  フレーム板
５１  蛍光表示管
５２  陽極基板
５３  陰極
５４  陰極張設部材
５４Ａ，５４Ｂ，５４Ｃ  固定部材
５４Ｄ  張設部材
５５、６３  フレーム板
６１，６４  サポート部取付板
６２，６５，６６  サポート部
７１Ａ，７１Ｂ  陰極駆動回路
Ｅ（Ｅ１，Ｅ２，Ｅ３）  表示領域
Ｘ  陽極基板の長手方向（陰極の張設方向）
【図１】
2020161365.tif 000003
【図２】
2020161365.tif 000004
【図３】
2020161365.tif 000005
【図４】
2020161365.tif 000006
【図５】
2020161365.tif 000007
【図６】
2020161365.tif 000008
【図７】
2020161365.tif 000009
【図８】
2020161365.tif 000010
【図９】
2020161365.tif 000011
【図１０】
2020161365.tif 000012
【図１１】
2020161365.tif 000013
【図１２】
2020161365.tif 000014
【図１３】
2020161365.tif 000015
【図１４】
2020161365.tif 000016